【手続補正書】
【提出日】平成16年2月26日(2004.2.26)
【手続補正１】
【補正対象書類名】明細書
【補正対象項目名】特許請求の範囲
【補正方法】変更
【補正の内容】
【特許請求の範囲】
【請求項１】
ホスト装置で作成された文書データを印刷装置により印刷出力する印刷システムであって、
前記ホスト装置は、
文書データに出現する文字種ごとにそのコードと文字イメージとを前記印刷装置に送信する第１の送信手段と、
文書データに出現する各文字を文字コードとして、罫線をその形状を示す罫線データとして、文字以外かつ罫線以外の部分をイメージデータとして前記印刷装置に送信する第２の送信手段とを備え、
前記印刷装置は、
前記第１の送信手段により送信される文字コードと文字イメージとを登録する登録手段と、
前記第２の送信手段により送信される文字コードを、前記登録手段により登録されたコードと文字イメージとに基づいてイメージデータに展開し、罫線データが示す形状から罫線を展開し、前記第２の送信手段により送信されるイメージと合成するイメージ再生手段と、
前記イメージ再生手段により得られるイメージデータを印刷出力する手段とを備えることを特徴とする印刷システム。
【請求項２】
前記ホスト装置は圧縮手段を更に備え、前記文字イメージ及びイメージを圧縮して前記印刷装置に送信し、前記印刷装置は伸張手段を更に備え、前記登録手段により登録された文字イメージ及び前記第２の送信手段により送信されたイメージを伸長することを特徴とする請求項１に記載の印刷システム。
【請求項３】
前記イメージ再生手段は、合成されるイメージを、印刷出力の順序に従って分割されるバンドごとに再生し、再生されたバンドごとに印刷出力することを特徴とする請求項１または２に記載の印刷システム。
【請求項４】
前記第２の送信手段は、イメージをバンドごとに分割して送信することを特徴とする請求項３に記載の印刷システム。
【請求項５】
前記第２の送信手段は、イメージをバンドごとに分割し、空白のバンドは、空白であることを示すコードを送信することを特徴とする請求項４に記載の印刷システム。
【請求項６】
前記第２の送信手段は、イメージをバンドごとに分割して送信し、既に送信されたバンドと同一のデータを有するバンドについては、繰り返しである旨を示すコードを送信することを特徴とする請求項４又は５に記載の印刷システム。
【請求項７】
前記ホスト装置は、文書データに含まれるイメージデータの大きさを判定する判定手段と、前記印刷装置に格納しきれないと判定した場合には、該イメージデータを複数の部分に分割して印刷装置に送信する第３の送信手段とを更に備え、
前記イメージ再生手段は、前記第３の送信手段によりデータを受け取った場合には、分割された部分ごとにイメージを再生し、印刷出力を終えるごとに再生されたイメージを消去することを特徴とする請求項１乃至６のいずれかに記載の印刷システム。
【請求項８】
文書データに出現する文字種ごとにそのコードと文字イメージとを送信し、その後、文書データに出現する各文字を文字コードとして、罫線をその形状を示す罫線データとして、文字以外かつ罫線以外の部分をイメージデータとして送信するホスト装置からの印刷データを印刷出力する印刷装置であって、
前記ホスト装置により送信される文字コードと文字イメージとを登録する登録手段と、
前記ホスト装置により送信される文字コードを、前記登録手段により登録されたコードと文字イメージとに基づいてイメージデータに展開し、罫線データが示す形状から罫線を展開し、前記第２の送信手段により送信されるイメージと合成するイメージ再生手段と、
前記イメージ再生手段により得られるイメージデータを印刷出力する手段と
を備えることを特徴とする印刷装置。
【請求項９】
伸張手段を更に備え、前記登録手段により登録された圧縮された文字イメージ及び前記第２の送信手段により送信された圧縮されたイメージを伸長することを特徴とする請求項８に記載の印刷装置。
【請求項１０】
前記イメージ再生手段は、合成されるイメージを、印刷出力の順序に従って分割されるバンドごとに再生し、再生されたバンドごとに印刷出力することを特徴とする請求項８または９に記載の印刷装置。
【請求項１１】
作成した文書データを印刷装置により印刷出力させる印刷制御装置であって、
文書データに出現する文字種ごとにそのコードと文字イメージとを前記印刷装置に送信する第１の送信手段と、
文書データに出現する各文字を文字コードとして、罫線をその形状を示す罫線データとして、文字以外かつ罫線以外の部分をイメージデータとして前記印刷装置に送信する第２の送信手段と
を備えることを特徴とする印刷制御装置。
【請求項１２】
圧縮手段を更に備え、前記文字イメージ及びイメージを圧縮して前記印刷装置に送信することを特徴とする請求項１１に記載の印刷制御装置。
【請求項１３】
前記第２の送信手段は、イメージをバンドごとに分割して送信することを特徴とする請求項１１または１２に記載の印刷制御装置。
【請求項１４】
前記第２の送信手段は、イメージをバンドごとに分割し、空白のバンドは、空白であることを示すコードを送信することを特徴とする請求項１３に記載の印刷制御装置。
【請求項１５】
前記第２の送信手段は、イメージをバンドごとに分割して送信し、既に送信されたバンドと同一のデータを有するバンドについては、繰り返しである旨を示すコードを送信することを特徴とする請求項１３に記載の印刷制御装置。
【請求項１６】
文書データに含まれるイメージデータの大きさを判定する判定手段と、前記印刷装置に格納しきれないと判定した場合には、該イメージデータを複数の部分に分割して印刷装置に送信する第３の送信手段とを更に備えることを特徴とする請求項１１乃至１５のいずれかに記載の印刷制御装置。
【請求項１７】
文書データに出現する文字種ごとにそのコードと文字イメージとを送信し、その後、文書データに出現する各文字を文字コードとして、罫線をその形状を示す罫線データとして、文字以外かつ罫線以外の部分をイメージデータとして送信するホスト装置からの印刷データを印刷出力する印刷制御方法であって、
前記ホスト装置により送信される文字コードと文字イメージとを登録する登録工程と、
前記ホスト装置により送信される文字コードを、前記登録工程により登録されたコードと文字イメージとに基づいてイメージデータに展開し、罫線データが示す形状から罫線を展開し、前記第２の送信工程により送信されるイメージと合成するイメージ再生工程と、
前記イメージ再生工程により得られるイメージデータを印刷出力する工程と
を備えることを特徴とする印刷制御方法。
【請求項１８】
伸張工程を更に備え、前記登録工程により登録された圧縮された文字イメージ及び前記第２の送信工程により送信された圧縮されたイメージを伸長することを特徴とする請求項１７に記載の印刷制御方法。
【請求項１９】
前記イメージ再生工程は、合成されるイメージを、印刷出力の順序に従って分割されるバンドごとに再生し、再生されたバンドごとに印刷出力することを特徴とする請求項１７または１８に記載の印刷制御方法。
【請求項２０】
作成した文書データを印刷出力させる印刷装置の制御方法であって、
文書データに出現する文字種ごとにそのコードと文字イメージとを前記印刷装置に送信する第１の送信工程と、
文書データに出現する各文字を文字コードとして、罫線をその形状を示す罫線データとして、文字以外かつ罫線以外の部分をイメージデータとして前記印刷装置に送信する第２の送信工程と
を備えることを特徴とする印刷装置の制御方法。
【請求項２１】
圧縮工程を更に備え、前記文字イメージ及びイメージを圧縮して前記印刷装置に送信することを特徴とする請求項２０に記載の印刷装置の制御方法。
【請求項２２】
前記第２の送信工程は、イメージをバンドごとに分割して送信することを特徴とする請求項２０または２１に記載の印刷装置の制御方法。
【請求項２３】
前記第２の送信工程は、イメージをバンドごとに分割し、空白のバンドは、空白であることを示すコードを送信することを特徴とする請求項２２に記載の印刷装置の制御方法。
【請求項２４】
前記第２の送信工程は、イメージをバンドごとに分割して送信し、既に送信されたバンドと同一のデータを有するバンドについては、繰り返しである旨を示すコードを送信することを特徴とする請求項２２に記載の印刷装置の制御方法。
【請求項２５】
文書データに含まれるイメージデータの大きさを判定する判定工程と、前記印刷装置に格納しきれないと判定した場合には、該イメージデータを複数の部分に分割して印刷装置に送信する第３の送信工程とを更に備えることを特徴とする請求項２０乃至２４のいずれかに記載の印刷装置の制御方法。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】